(57)【要約】【課題】指の血管パターンが撮影される指提示部の幅が狭くなった場合でも、個人認証の精度を向上できる血管画像撮影装置および個人認証システムを提供する。【解決手段】指が宛がわれる平面を有する指提示部と、前記指提示部に宛がわれる指に光を照射する光源と、光が照射された指に含まれる血管の画像を撮影する撮影部と、前記撮影部を内包する筐体と、撮影された血管の画像に基づいて個人認証を行う認証部を備える血管画像撮影装置であって、前記指提示部は前記筐体に対して突出していることを特徴とする。【選択図】図１
2019204320.tif 000002
【特許請求の範囲】
【請求項１】
指が宛がわれる平面を有する指提示部と、
前記指提示部に宛がわれる指に光を照射する光源と、
光が照射された指に含まれる血管の画像を撮影する撮影部と、
前記指提示部を有する筐体と、
撮影された血管の画像に基づいて個人認証を行う認証部を備える血管画像撮影装置であって、
前記指提示部は前記筐体に対して突出していることを特徴とする血管画像撮影装置。
【請求項２】
請求項１に記載の血管画像撮影装置であって、
前記指提示部の前記平面は、歩行中のユーザの進行方向に直交する方向に沿って前記筐体に対して傾斜することを特徴とする血管画像撮影装置。
【請求項３】
請求項２に記載の血管画像撮影装置であって、
前記光源から照射される光は、前記指提示部に対して斜めに入射することを特徴とする血管画像撮影装置。
【請求項４】
請求項３に記載の血管画像撮影装置であって、
前記光源は複数の光源が、前記進行方向と直交する面内においてL字型に配置されることを特徴とする血管画像撮影装置。
【請求項５】
請求項２に記載の血管画像撮影装置であって、
前記光源は複数の光源が配列された面光源であって、前記面光源と前記指提示部の前記平面とのなす角が鈍角であることを特徴とする血管画像撮影装置。
【請求項６】
請求項１に記載の血管画像撮影装置であって、
前記指の位置を検出する位置検出器と、
前記位置検出器によって検出され前記指の位置に基づいて、前記撮影部による撮影の要否を判定する判定部を更に備えることを特徴とする血管画像撮影装置。
【請求項７】
請求項１に記載の血管画像撮影装置であって、
前記指提示部に宛がわれる指を提示する位置のガイドを表示するガイド表示部をさらに備えることを特徴とする血管画像撮影装置。
【請求項８】
請求項１に記載の血管画像撮影装置であって、
前記指提示部に連なるとともに前記平面に対して傾斜し、手のひらが宛がわれる手のひら接触面をさらに備えることを特徴とする血管画像撮影装置。
【請求項９】
請求項８に記載の血管画像撮影装置であって、
前記手のひら接触面が前記筐体に対して平行であることを特徴とする血管画像撮影装置。
【請求項１０】
請求項８に記載の血管画像撮影装置であって、
前記手のひら接触面が前記筐体に対して傾斜することを特徴とする血管画像撮影装置。
【請求項１１】
請求項８に記載の血管画像撮影装置であって、
前記手のひら接触面が曲面を有することを特徴とする血管画像撮影装置。
【請求項１２】
請求項１乃至１１のいずれか一項に記載の血管画像撮影装置と、
前記血管画像撮影装置での個人認証の結果に応じて開閉するゲート装置を備えることを特徴とする個人認証システム。
【発明の詳細な説明】
【技術分野】
【０００１】
本発明は、人間の生体情報である指の血管のパターンを撮影する血管画像撮影装置及びそれを備えた個人認証システムに関する。
【背景技術】
【０００２】
高精度な個人認証が可能な生体認証装置の一つに、個人毎に異なる血管のパターンを利用する血管画像撮影装置がある。血管画像撮影装置は、例えば指に光を当てることで浮かび上がる指の血管パターンを撮影し、撮影した血管パターンを予め登録しておいた指の血管パターンと比較することにより個人認証を行う装置である。
【０００３】
特許文献1には、血管画像撮影装置を用いて歩行中のユーザを立ち止まらせることなく個人認証を行い、個人認証の結果に応じて開閉ゲートを制御するウォークスルー型の個人認証システムが開示されている。特許文献1ではユーザが歩行する動線を確保するために、ユーザの進行方向に長くなる構成、すなわち指が提示され、血管パターンが撮影される指提示部をユーザの進行方向に広げることを開示している。
【先行技術文献】
【特許文献】
【０００４】
【特許文献１】ＷＯ２０１６／０８４２１４号公報
【発明の概要】
【発明が解決しようとする課題】
【０００５】
しかしながら、特許文献１では血管画像撮影装置の小型化については言及されていない。血管画像撮影装置を小型にするには指提示部の小型化も必要であるが、単純な小型化は個人認証の精度の低下をもたらす。すなわち、指提示部の幅が狭くなると、指提示部に対して適切な位置に指を提示することが困難となり、撮影される血管パターンが個人認証に適さないことが多くなる。
【０００６】
そこで本発明は、指の血管パターンが撮影される指提示部の幅が狭くなった場合でも、個人認証の精度を向上できる血管画像撮影装置および個人認証システムを提供することを目的とする。
【課題を解決するための手段】
【０００７】
上記目的を達成するために本発明は、指が宛がわれる平面を有する指提示部を筐体に対して突出させることを特徴とする。
【０００８】
より具体的には、指が宛がわれる平面を有する指提示部と、前記指提示部に宛がわれる指に光を照射する光源と、光が照射された指に含まれる血管の画像を撮影する撮影部と、前記撮影部を内包する筐体と、撮影された血管の画像に基づいて個人認証を行う認証部を備える血管画像撮影装置であって、前記指提示部は前記筐体に対して突出していることを特徴とする。
【０００９】
また本発明は、前記血管画像撮影装置と、前記血管画像撮影装置の個人認証の結果に応じて開閉するゲート部を備えることを特徴とする個人認証システムである。
【発明の効果】
【００１０】
本発明によれば、指の血管パターンが撮影される指提示部の幅が狭くなった場合でも、個人認証の精度を向上できる血管画像撮影装置および個人認証システムを提供することができる。
【図面の簡単な説明】
【００１１】
【図１】実施例１の血管画像撮影装置の本体を斜め上方から見た斜視図
【図２】実施例１の個人認証システムの概略構成図
【図３】実施例１の血管画像撮影装置で個人認証する際の処理の流れの一例を示す図
【図４】実施例２の血管画像撮影装置の本体を斜め上方から見た斜視図
【図５】実施例３の血管画像撮影装置の本体を斜め上方から見た斜視図
【図６】実施例４の血管画像撮影装置の本体を斜め上方から見た斜視図
【図７】実施例４の血管画像撮影装置の本体を横から見た図
【図８】実施例４の変形例の血管画像撮影装置の本体を横から見た図
【図９】実施例４の変形例の血管画像撮影装置の本体を横から見た図
【図１０】実施例２の変形例の血管画像撮影装置の本体を斜め上方から見た斜視図
【発明を実施するための形態】
【００１２】
以下、本発明の実施例を図面に従い説明する。
【実施例１】
【００１３】
図1を用いて本実施例の血管画像撮影装置の本体１００について説明する。なお、図1は本体１００を斜め上方から見た斜視図であり、Ｘ方向はユーザが歩行する方向、Ｚ方向は鉛直方向、Ｙ方向はＸ方向及びＺ方向と直交する方向である。本体１００は、筐体１０１と、光源アレイ１０３と、撮影部１０６を備える。以下、各部について説明する。
【００１４】
筐体１０１は突出部１０９を備え、突出部１０９は筐体１０１の上面から突出する形状を有する。突出部１０９の上面には、歩行中のユーザの手１０８に連なる指１１０が提示される指提示部１０７が備えられる。指提示部１０７はアクリルやガラス等の透明な平板を有する。指提示部１０７は、ユーザの人差し指から小指までを覆う大きさを有することが望ましい。すなわち、歩行中のユーザの進行方向であるＸ方向における指提示部１０７の長さは人差し指から小指までの幅よりも長く、進行方向に直交する方向であるＹ方向の長さは中指の長さよりも長いことが好ましい。突出部１０９は、歩行中のユーザの進行方向であるＸ方向に直交する方向であるＹ方向に沿って筐体１０１の上面に対して傾斜しても良い。筐体１０１の上面に対する突出部１０９の傾斜角度を図1に示すようにθとする。
【００１５】
光源アレイ１０３は指提示部１０７に提示される指１１０に光を照射する。本実施例の光源アレイ１０３は、近赤外線を照射する複数の点光源１０２を含み、点光源１０２が格子状に配列される面光源であり、突出部１０９の端部であって指提示部１０７の近傍に立設される。つまり、光源アレイ１０３は指提示部１０７に対してほぼ直交する。光源アレイ１０３から照射される光は、後述する撮影部１０６に点光源１０２が直接写りこむことを避けるために、指提示部１０７に対して斜めに入射することが好ましく、例えば４５度の角度で入射する。光源アレイ１０３からの光を指提示部１０７へ斜めに入射させるために、光源アレイ１０３は遮光板１０４を有しても良い。遮光板１０４は、点光源１０２から照射される光が指提示部１０７に入射する角度と平行に、かつ点光源１０２が撮影部１０６に写りこまない位置まで光源アレイ１０３からせり出すように配置される。また、点光源１０２に指向性のある光源を用いて、指提示部１０７に対して光を斜めに入射させても良い。
【００１６】
撮影部１０６は、撮影部１０６の光軸が指提示部１０７と直交するように筐体１０１の中に配置され、光が照射された指１１０に含まれる血管の画像を、指提示部１０７の透明な平板を介して撮影する。指１１０に照射された近赤外線は血管を流れる血液で吸収されるので、撮影部１０６では血管の影が血管のパターンとして撮影される。血管のパターンは個人毎に異なるため、各個人の血管パターンを予め登録しておき、登録された血管パターンと撮影された血管パターンとを照合することにより、個人認証を行うことができる。個人認証の精度を向上させるには、人差し指から小指までの血管パターンが個人認証に用いられることが好ましく、歩行中のユーザには指提示部１０７に対して適切な位置に指を提示することが求められる。
【００１７】
なお、撮影部１０６に近接させて位置検出部１０５を配置しても良い。位置検出部１０５は、手１０８の位置情報を取得する装置であり、例えば深度カメラ等である。位置検出部１０５によって取得される手１０８の位置情報は、個人認証の精度を向上させるために用いられても良い。
【００１８】
ところで血管画像撮影装置の小型化すなわち筐体１０１の小型化には、歩行中のユーザの進行方向であるＸ方向における指提示部１０７の長さを、人差し指から小指までの幅と同程度に狭くすることが求められる。指提示部１０７の幅が狭くなると、歩行中のユーザは指提示部１０７に対して適切な位置に指を提示することが困難になり、個人認証の精度が悪化する場合がある。
【００１９】
本実施例では指提示部１０７が筐体１０１に対して突出しているため、歩行中のユーザは触覚または視覚により指提示部１０７の位置を容易に把握できるので、指提示部１０７に対して適切な位置に指を提示できる。また、指提示部１０７は筐体１０１に埋没せず平面で構成されるので、ユーザは指提示部１０７に手や指を引っかけることなく、歩行しながら円滑に指を提示することができる。さらに、突出部１０９の端部であって指提示部１０７の近傍に立設された光源アレイ１０３が指先のストッパとなるので、指提示部１０７に対して適切な位置に指を提示できる。
【００２０】
また、指提示部１０７が筐体１０１に対してＹ方向に沿って傾斜している場合、歩行中のユーザは手首をあまり曲げることなく、指提示部１０７に指を提示することができる。手首を必要以上に曲げた場合、指の血流が滞り、撮影される血管パターンが不鮮明になる場合がある。発明者らの調査によれば、筐体１０１に対する指提示部１０７の傾斜角θは、５度から４５度の範囲が好ましく、１５度から３０度の範囲がより好ましい。
【００２１】
図２を用いて、本実施例の血管画像撮影装置及び個人認証システムについて説明する。図２は本実施例の個人認証システムの概略構成図である。本実施例の個人認証システムは、血管画像撮影装置２００とゲート装置２３０を備える。
【００２２】
血管画像撮影装置２００は、図１を用いて説明した本体１００とコンピュータ２１１等を備える。本体１００の撮影部１０６で撮影された血管パターンは、インターフェース２１２を介してコンピュータ２１１に取り込まれ、外部記憶装置２１８に予め登録された血管パターンと照合される。照合の結果、撮影された血管パターンと登録された血管パターンとの類似度が所定の閾値以上であると判定されれば、歩行中のユーザが予め登録されたユーザであるとして個人認証がなされる。なお、個人認証に係る処理はＣＰＵ２１７及びメモリ２１６を用いて行われる。すなわち、コンピュータ２１１が個人認証を行う認証部として機能する。個人認証の結果は、ユーザに通知するために入出力部２１５から出力されても良く、例えばディスプレイに表示されたり、スピーカから音声が発せられたりしても良い。なお、個人認証に係る処理は、外部に設置されるサーバで行われても良い。
【００２３】
ゲート装置２３０は、血管画像撮影装置２００での個人認証の結果に応じて開閉する。すなわち、血管画像撮影装置２００において、歩行中のユーザが予め登録されたユーザであると判定されればゲートが開き通過可能となり、登録されたユーザではないと判定されればゲートは閉じたままとなる。なお、ゲートは昇降するバーでも良いし、自動ドアのように左右に開閉するドアでも良い。またゲート装置２３０の代わりに、銀行の自動預け払い機等、別の装置を用いても良い。
【００２４】
血管画像撮影装置２００が位置検出部１０５を備える場合、位置検出部１０５によって取得される手１０８の位置情報に基づいて様々な制御を行っても良い。例えば、手１０８の姿勢、指の位置、指の姿勢等を取得し、取得された情報に基づいて、複数の点光源１０２のうち、指を照らすものを選択して点灯させても良い。点光源１０２を選択的に点灯させることにより、点光源１０２の撮影部１０６への写りこみを防止でき、鮮明な血管パターンを撮影可能となり、個人認証の精度を向上させることができる。
【００２５】
また光源アレイ１０３が遮光板１０４を有する場合、光源アレイ１０３から照射される近赤外線の照射範囲２２２は斜線部に限定される。その結果、網掛け部で示す撮影部１０６の撮影範囲２２３に点光源１０２の一部が含まれるものの、点光源１０２が撮影部１０６へ写りこむことを防止できる。なお、光源アレイ１０３を指提示部１０７の近傍に配置することにより、光源アレイ１０３の高さを低くしても、光源アレイ１０３のＹ方向の照射範囲を確保することが容易になる。
【００２６】
図３を用いて、本実施例の血管画像撮影装置２００で個人認証する際の処理の流れの一例を説明する。各ステップは、メモリ２１６に格納されたプログラムによりＣＰＵ２１７において実行される。
【００２７】
ステップ３０１において、ユーザによって指提示部１０７に手１０８が提示されたことが検知される。ステップ３０２において、提示された手１０８の位置情報が位置検出部１０５によって取得する。ステップ３０３において、ステップ３０２で取得された位置情報から指提示部１０７の近傍にある手１０８が検出される。ステップ３０２では、手１０８の一部の位置情報が位置検出部１０５から取得できなかった場合でも、取得できている情報から手１０８の形状が推定されて手１０８が検出される。ステップ３０４において、ステップ３０３で手１０８が検出されたか否かが判定される。手が検出されなかった場合はステップ３０２に戻り、手が検出された場合はステップ３０５へ進む。ステップ３０５において、位置検出部１０５から取得された手１０８の位置情報を用いて、各々の指の指先の位置、指の向き、指の傾きなどの情報が算出される。ステップ３０５では、手１０８の一部の位置情報が位置検出部１０５から取得できなかった場合でも、取得できている情報から指先の位置、指の向き、指の傾きなどの情報が推定される。ステップ３０６において、光源アレイ１０３に配置された複数の点光源１０２のうち、指の位置を照らすものを選択的に点灯する。光源アレイ１０３には、遮光板１０４が設置されており、各点光源１０２の照射範囲の重なりが一部制限されるため、指血管画像の明るさが均等になるように点光源１０２ごとに照射光量を制御しても良い。ステップ３０７において、撮影部１０６により撮影された指血管画像がコンピュータ２１１に取り込まれる。ステップ３０８において、指血管画像から複数の指領域が検出される。ステップ３０９において、指の向きの補正や、姿勢変動によるゆがみの補正が行われる。ステップ３１０において、各指血管画像から指血管の特徴情報が抽出される。ステップ３１１において、ステップ３１０で抽出された指血管の特徴情報と外部記憶装置２１８に予め登録された指血管の特徴情報とが照合され、照合スコアが算出される。ステップ３１２において、ステップ３１１で算出された照合スコアが閾値ＴＨ１を上回っているか否かが判定される。照合スコアが閾値ＴＨ１を上回っていればステップ３１３に進み、認証成功後処理、例えばゲート装置２３０のゲートを開いたあと、ステップ３１５に進む。ステップ３１１で算出された照合スコアが閾値ＴＨ１を上回っていない場合は、ステップ３１４に進み、認証失敗後処理、例えばゲート装置２３０のゲートを閉じたままにしたあと、ステップ３１５に進む。ステップ３１５において、認証処理を継続するか否かが判定され、認証処理を継続する場合はステップ３０２に戻り、認証処理を継続しない場合は、ステップ３１６に進み処理の流れを終了する。
【実施例２】
【００２８】
実施例１では、突出部１０９の端部であって指提示部１０７の近傍に、面光源である光源アレイ１０３が立設する血管画像撮影装置の本体１００について説明した。本実施例では、本体１００の小型化、特に鉛直方向であるＺ方向の小型化を図るために、折り曲げられた光源アレイ４０３を備える血管画像撮影装置の本体１００について説明する。なお、本実施例の全体構成は実施例１とほぼ同じであるので説明を簡略化し、実施例１と異なる点である光源アレイ４０３の構造について特に説明する。
【００２９】
図４を用いて本実施例の血管画像撮影装置の本体１００について説明する。図４は、図１と同様の斜視図であり、Ｘ方向はユーザが歩行する方向、Ｚ方向は鉛直方向、Ｙ方向はＸ方向及びＺ方向と直交する方向である。本体１００は、筐体１０１と、光源アレイ４０３と、撮影部１０６を備える。以下、光源アレイ４０３について説明する。
【００３０】
光源アレイ４０３は指提示部１０７に提示される指１１０に光を照射する。本実施例の光源アレイ４０３は、近赤外線を照射する複数の点光源４０２を含み、点光源４０２がＸ方向と直交する面内においてＬ字型に配置され、突出部１０９の端部であって指提示部１０７の近傍に立設される。すなわち、光源アレイ４０３は折り曲げられた構造を有する。なお、光源アレイ４０３は、実施例１と同様に突出部１０９の端部に立設された光源アレイ４０３ａに、指提示部１０７と平行であって対向する光源アレイ４０３ｂが追加されたものと言い換えることもできる。
【００３１】
なお、撮影部１０６に点光源４０２が直接写りこむことを避けるために、実施例１と同様に、光源アレイ４０３から照射される光は指提示部１０７に対して斜めに入射することが好ましい。光源アレイ４０３からの光を指提示部１０７へ斜めに入射させるために、光源アレイ４０３は遮光板４０４を有しても良い。遮光板４０４は、点光源４０２から照射される光が指提示部１０７に入射する角度と平行に、かつ点光源４０２が撮影部１０６に写りこまない位置まで光源アレイ４０３からせり出すように配置される。
【００３２】
光源アレイ４０３が図４に示す構造を有することにより、Ｙ方向の照射範囲が同じであっても、光源アレイ４０３の高さを低くできるので、本体１００の小型化を図ることができる。また、実施例１と同様に、指提示部１０７が筐体１０１に対して突出しているため、歩行中のユーザは触覚または視覚により指提示部１０７の位置を容易に把握できるので、指提示部１０７に対して適切な位置に指を提示できる。
【００３３】
なお、光源アレイ４０３が折り曲げられる位置は、視覚による指提示部１０７の位置の把握のしやすさと光源アレイ４０３の高さとのバランスに応じて適切に選択される。なお、指提示部１０７の位置を触覚のみで把握する場合は、光源アレイ４０３を指提示部１０７と平行であって対向する部分のみとしても良い。
【実施例３】
【００３４】
実施例１では、指提示部１０７の位置を視覚で把握しやすくするために、筐体１０１の上面に突出する突出部１０９に指提示部１０７が設けられる構成について説明した。本実施例では、視覚による指提示部１０７の位置の把握をさらに容易にするために、指を提示する位置のガイドを表示する構成について説明する。なお、本実施例の構成は実施例２とほぼ同じであるので説明を簡略化し、実施例２と異なる点について特に説明する。
【００３５】
図５を用いて本実施例の血管画像撮影装置の本体１００について説明する。図５は、図４と同様の斜視図であり、Ｘ方向はユーザが歩行する方向、Ｚ方向は鉛直方向、Ｙ方向はＸ方向及びＺ方向と直交する方向である。本体１００は、実施例２と同様に、筐体１０１と、光源アレイ４０３と、撮影部１０６を備えるとともに、ガイド表示部５１０をさらに備える。
【００３６】
ガイド表示部５１０は、光源アレイ４０３ｂの周囲に配置され、指提示部１０７の外周に沿うように凹型の可視光線であるガイド光５１１を照射する。指提示部１０７の外周に凹型のガイド光５１１が照射されることにより、ガイド光５１１の内側に指を提示させることをユーザに促すことができる。
【００３７】
また、位置検出部１０５によって取得される手１０８の位置情報に応じて、ガイド光５１１の色や点灯時間を変えても良い。例えば、指提示部１０７から手１０８までの距離が遠すぎる場合は青色に、近すぎる場合は赤色に、適切な距離の範囲内の場合は緑色にガイド光５１１の色を変えることにより、手１０８の高さが適切か否かをユーザに知らせることができる。また、指提示部１０７の中に人差し指、中指、薬指、小指のいずれかが含まれていない場合はガイド光５１１を点滅させ、含まれない指が多いほど点滅の周期を短くすることにより、手１０８の位置が適切か否かをユーザに知らせることができる。
【００３８】
また突出部１０９の側面であってＹ方向に向く側面５１２に、指提示部１０７のイメージ図５１３と、指提示部１０７に適切に提示された手のイメージ図５１４を表示しても良い。  また突出部１０９の上面であって指提示部１０７以外の部分に、手のひらのイメージ図５１５を表示しても良い。なお、イメージ図５１５は親指の位置が明確に示されていることが望ましい。このようなイメージ図５１３、５１４、５１５を表示することにより、指提示部１０７に対して適切に提示された手の位置をユーザに知らせることができる。
【実施例４】
【００３９】
実施例１では、突出部１０９の端部であって指提示部１０７の近傍に、面光源である光源アレイ１０３が立設する血管画像撮影装置の本体１００について説明した。本実施例では、本体１００の高さを低くするために、突出部６０９の端部であって指提示部６０７の近傍に、面光源が水平に配置される構成について説明する。なお、本実施例の全体構成は実施例１とほぼ同じであるので説明を簡略化し、実施例１と異なる点である突出部６０９と光源アレイ６０３について特に説明する。
【００４０】
図６及び図７を用いて本実施例の血管画像撮影装置の本体１００について説明する。図６は、図１と同様の斜視図であり、Ｘ方向はユーザが歩行する方向、Ｚ方向は鉛直方向、Ｙ方向はＸ方向及びＺ方向と直交する方向である。図７は本実施例の血管画像撮影装置の本体１００を横から見た図である。本体１００は、筐体１０１と、光源アレイ６０３と、撮影部１０６を備える。以下、筐体１０１と光源アレイ６０３について説明する。
【００４１】
筐体１０１は突出部６０９を備え、突出部６０９は筐体１０１の上面から突出し、歩行中のユーザの進行方向に直交する方向であるＹ方向に沿って筐体１０１の上面に対して傾斜する傾斜面を有する。突出部６０９の傾斜面には、歩行中のユーザの手６０８の指が提示される指提示部６０７が備えられる。指提示部６０７は、実施例１と同様に、透明な平板を有する。指提示部６０７は、ユーザの人差し指、中指、薬指、小指を覆う大きさの形状を有し、例えば、人差し指から小指までの幅と、中指の長さとを覆う長方形である。また、突出部６０９のＹ方向を向く側面である手のひら接触面６０９ａにユーザの手６０８の手のひらが宛がわれるように、突出部６０９の傾斜面の長さを指提示部６０７とほぼ同一とする。手のひら接触面６０９ａと指提示部６０７とのなす角は、手６０８が脱力されたときの手のひらと指とのなす角と同程度とする。
【００４２】
光源アレイ６０３は指提示部６０７に提示される手６０８の指に光を照射する。本実施例の光源アレイ６０３は、近赤外線を照射する複数の点光源６０２を含み、点光源６０２が格子状に配列される面光源であり、突出部６０９の端部であって指提示部６０７の近傍に水平に配置される。すなわち、光源アレイ６０３と指提示部６０７とのなす角は鈍角となり、網掛け部で示す撮影部１０６の撮影範囲７２３の範囲外に光源アレイ６０３が配置される。斜線部で示す近赤外線の照射範囲７２２は手６０８の指の背側となる。なお、必要に応じて、光源アレイ６０３に遮光板１０４を設けても良い。
【００４３】
本実施例によれば、光源アレイ６０３は突出部６０９より低い位置に配置されるので、実施例１乃至３に比べて、本体１００の高さを低くできる。また光源アレイ６０３と指提示部６０７とのなす角が鈍角であり、撮影部１０６の撮影範囲外に光源アレイ６０３の点光源６０２が配置されるので、点光源６０２が撮影部１０６へ写りこむことを避けることができる。また突出部６０９の傾斜面に指提示部６０７が備えられるので、歩行中のユーザは触覚または視覚により指提示部６０７の位置を容易に把握でき、指提示部１０７に対して適切な位置に指を提示できる。さらに突出部６０９の傾斜面と指提示部６０７の長さがほぼ同一であり、手のひら接触面６０９ａと指提示部６０７のなす角が手のひらと指のなす角と同程度であるので、ユーザは手６０８を硬直させることなく突出部６０９へ宛がえる。ユーザが手６０８を硬直させずにすめば、指の血流を滞らせることなく指血管画像が撮影されるので、鮮明な血管パターンを取得できる。
【００４４】
ユーザが手６０８を硬直させずにすむ突出部６０９は図６及び７に示す形状に限定されない。図８及び９に突出部６０９の変形例を示す。図８及び９は、図７と同様に、血管画像撮影装置の本体１００を横から見た図である。図７ではＸ方向と直交する面内において、突出部６０９の形状が三角形であるのに対し、図８では台形、図９では図８の台形の上底を右下がりに傾けた四角形である。図８及び９の突出部６０９においても、ユーザは手６０８を硬直させることなく突出部６０９へ宛がえるので、鮮明な血管パターンを取得でき、個人認証の精度を向上できる。なお、手のひら接触面６０９ａは平面に限定されず曲面であっても良い。
【００４５】
またユーザが手６０８を硬直させずにすむ突出部６０９は他の実施例にも適用できる。図１０に実施例２の変形例を示す。図１０ではＸ方向と直交する面内において、突出部１０９の形状が台形であって、台形の上底に手のひらが宛がわれる面である手のひら接触面１０９ａが設けられる。図１０においても、ユーザは手６０８を硬直させることなく突出部６０９へ宛がえるので、鮮明な血管パターンを取得できる。
【００４６】
以上四つの実施例について説明したが、本発明の血管画像撮影装置は上記実施例に限定されるものではなく、発明の要旨を逸脱しない範囲で構成要素を変形して具体化できる。また、上記実施例に開示されている複数の構成要素を適宜組み合わせても良い。さらに、上記実施例に示される全構成要素からいくつかの構成要素を削除しても良い。
【符号の説明】
【００４７】
１００  本体
１０１  筐体
１０２  点光源
１０３  光源アレイ
１０４  遮光板
１０５  位置検出部
１０６  撮影部
１０７  指提示部
１０８  ユーザの手
１０９  突出部
１１０  指
２００  血管画像撮影装置
２１１  コンピュータ
２１２  インターフェース
２１５  入出力部
２１６  メモリ
２１７  ＣＰＵ
２１８  外部記憶装置
２２２  近赤外線の照射範囲
２２３  撮影範囲
２３０  ゲート装置
４０２  点光源
４０３  光源アレイ
４０４  遮光板
５１０  ガイド表示部
５１１  ガイド光
５１２  突出部のＹ方向を向く側面
５１３  指提示部のイメージ図
５１４  手のイメージ図
５１５  手のひらのイメージ図
６０２  点光源
６０３  光源アレイ
６０７  指提示部
６０８  ユーザの手
６０９  突出部
７２２  近赤外線の照射範囲
７２３  撮影範囲
【図１】
2019204320.tif 000003
【図２】
2019204320.tif 000004
【図３】
2019204320.tif 000005
【図４】
2019204320.tif 000006
【図５】
2019204320.tif 000007
【図６】
2019204320.tif 000008
【図７】
2019204320.tif 000009
【図８】
2019204320.tif 000010
【図９】
2019204320.tif 000011
【図１０】
2019204320.tif 000012